(57)【特許請求の範囲】
【請求項１】
目薬容器の点眼部を上下に貫通するよう着脱自在に取り付ける筒状部の下端に内部中空の半球状部を連成した容器取り付け部材と、この容器取り付け部材における半球状部の両側に容器取り付け部材の軸心を挟んで対向するよう取り付けられた一対の開瞼部材とからなり、前記開瞼部材は、上部が半球状部の外側に略半周にわたって外嵌する横断面半円筒状となり、この断面形状のまま下部先端側へ直線状に延びながら、上部から下部先端に向けて周壁の幅が漸次狭くなり、その下部先端に瞼の押圧突条を設けて形成され、両側の開瞼部材は、上部両側端部の位置を前記半球状部にピンで、このピンを支点にして対向面の方向に開閉自在となるよう取り付け、前記両側の開瞼部材が閉じた状態から瞼に押し当てたときに自動的に開くよう、前記ピンと瞼の押圧突条の位置関係を、両側の開瞼部材が閉じた状態でピンに対して瞼の押圧突条が開閉方向の外側に位置するように設定した点眼補助具。
【発明の詳細な説明】
【０００１】
【発明の属する技術分野】
この発明は、目薬をさすときに使用する点眼補助具、更に詳しくは、目薬の容器に取り付け、点眼時に上下の瞼を強制的に開かせ、目薬や洗浄液を的確に眼球や瞼の内側へ点眼することができるようにした点眼補助具に関する。
【０００２】
【従来の技術】
一般に、目薬をさす方法は、目薬容器を片方の手で保持して点眼部を下に向け、顔を上向きにした姿勢で目の真上に上記目薬容器を望ませ、瞼を開いた状態で目薬容器を加圧し、該容器から滴下する目薬や洗浄液を眼球に供給することによって行われている。
【０００３】
【発明が解決しようとする課題】
ところで、人間の目は物が近づくと瞼が閉じるようになっているため、上記のような点眼時に目の真上に目薬容器を望ませて接近させると、どうしても瞼を閉じる傾向にあり、従って、点眼時に瞼が開いた状態を維持しなければと意識していても、人によっては目薬の滴下時には往々にして瞼がとじてしまい、この結果瞳へ的確に目薬を供給するのが困難になるという問題がある。
【０００４】
また、点眼時に他方の手の指先で瞼を押し開いて保持することが行われているが、このような方法では、指先に接触した目薬が目に入る危険性がある。
【０００５】
そこでこの発明の課題は、点眼時に瞼へ軽く押しつけるだけで瞼を開いた状態に保持することができ、目薬や洗浄液を衛生的にしかも的確に眼球や瞼の内側へ供給できる点眼補助具を提供することにある。
【０００６】
【課題を解決するための手段】
上記のような課題を解決するため、この発明は、目薬容器の点眼部を上下に貫通するよう着脱自在に取り付ける筒状部の下端に内部中空の半球状部を連成した容器取り付け部材と、この容器取り付け部材における半球状部の両側に容器取り付け部材の軸心を挟んで対向するよう取り付けられた一対の開瞼部材とからなり、前記開瞼部材は、上部が半球状部の外側に略半周にわたって外嵌する横断面半円筒状となり、この断面形状のまま下部先端側へ直線状に延びながら、上部から下部先端に向けて周壁の幅が漸次狭くなり、その下部先端に瞼の押圧突条を設けて形成され、両側の開瞼部材は、上部両側端部の位置を前記半球状部にピンで、このピンを支点にして対向面の方向に開閉自在となるよう取り付け、前記両側の開瞼部材が閉じた状態から瞼に押し当てたときに自動的に開くよう、前記ピンと瞼の押圧突条の位置関係を、両側の開瞼部材が閉じた状態でピンに対して瞼の押圧突条が開閉方向の外側に位置するように設定した構成を採用したものである。
【００１０】
ここで、目薬容器の点眼部は、キャップを着脱自在に取り付けるための螺筒になっており、容器取り付け部材およびアダプターに設けるねじ孔はこの螺筒が螺合するようになっていると共に、一対の開瞼部材は透明な合成樹脂を用い、少なくとも先端側は、眼球に合うような弧状になっている。
【００１１】
【発明の実施の形態】
以下、この発明の実施の形態を図示例と共に説明する。
【００１２】
図１乃至図５に示す第一の実施形態において、１は合成樹脂等の可撓性材料を用いた目薬容器であり、周囲の一部に収納した内部の目薬や洗浄液を滴下させるための点眼部２が設けられ、この点眼部２は外周に雄ねじ３が形成された螺筒となり、キヤップを着脱自在に螺合する周知の構造になっている。
【００１３】
４は上記目薬容器１の点眼部２に装着する点眼補助具であり、容器取り付け部材５と、この部材５に装着した一対の開瞼部材６、６とからなり、容器取り付け用のアダプター７とミラー８の取り付け部材９とが別体に用意されている。
【００１４】
上記容器取り付け部材５は、軸心に沿って透孔１０が貫通する筒状部１１の上端にフランジ１２と、下端に内部中空状の半球状部１３を連成して形成され、透孔１０は点眼部２よりも大径になっている。
【００１５】
一対の開瞼部材６、６は、透孔１０の軸心を挟んで半球状部１３の両側に位置し、この半球状部１３から下方に向けて適当な長さだけ突出するよう対向状に配置され、上部が半球状部１３の外側に略半周にわたって外嵌する略横断面半円筒状となり、この断面形状のままで先端側へ直線状に延び、上記上部で両側端部の位置を半球状部１３にピン１４で枢支し、両開瞼部材６、６はピン１４を支点にして対向面の方向に開閉自在となる。
【００１６】
両開瞼部材６、６は、半球状部１３に外嵌する上部から下部先端に向けて周壁の幅が漸次狭くなり、互いに接近して閉じたときは、図２に示すように先端窄まりの状態になり、先端は目の形状に沿うよう開口している。
【００１７】
両開瞼部材６、６の先端には、瞼に押しつけたときの安全性向上と瞼を捲れ状態にして目薬を目の全体に行き渡らせるための瞼への当接部１５が設けられている。この当接部１５は、開瞼部材６の外側に向けて張り出し、内外縁が円弧状となる当接面部１６と、該当接面部１６の先端面で内周側に沿って弧状に設けた押圧突条１７とで形成され、上記当接面部１６は開瞼部材６の外側に向けて十分な幅で突出している。
【００１８】
図示の場合、当接部１５はゴムや同効の弾性材料を用い、開瞼部材６と別体に形成したものを開瞼部材６の先端に取り付けたが、開瞼部材６と一体に成形してもよい。
【００１９】
図２と図４に示すように、開瞼部材６の上部は半球状部１３に外嵌しているが、上下方向の形状はピン１４を支点とする該開瞼部材６の揺動を許容するようになっており、両開瞼部材６、６の開離量を一定に制限するため、図示では開瞼部材６の上端が筒状部１１の外面に当接する事によって該開瞼部材６の開き止めとしているが、半球状部１３にストッパーを設ける等の手段によってこの目的を達成するようにしてもよい。
【００２０】
上記した両開瞼部材６、６が、図２に示す閉じた状態から瞼に押し当てたときに自動的に開くようにするため、同図の如く、揺動支点となるピン１４の位置に対して当接部１５の押圧突条１７が外側に位置するように設定されており、この両者の位置関係により、押圧突条１７を瞼に押し当てると開瞼部材６、６は自然に外側へ回動することになる。
【００２１】
なお点眼補助具４の各構成部材に用いる材料は合成樹脂や金属等特に限定されないが、両開瞼部材６、６は、透明な合成樹脂で形成するのが好ましい。
【００２２】
前記アダプター７は容器取り付け部材５の透孔１０に圧入嵌合や螺合又はビス止めする筒状に形成され、軸心に沿って点眼部２の雄ねじ３を螺合するねじ孔１８が設けられている。
【００２３】
目薬容器１の点眼部２は、メーカーによって雄ねじ３の直径が異なるため、アダプター７はこれに対応できるよう、ねじ孔１８の直径が異なるものが複数種類用意されている。従って、アダプター７の選択により、メーカーの異なる目薬容器１に対して点眼補助具４を装着することができる。
【００２４】
前記ミラー８は、点眼時に片方の目で点眼部分を見るためのものであり、アダプター７に可回動に嵌着するリング部１９に突設したアーム２０の先端に角度可変に取り付けられている。なお、アーム２０は、両眼の間隔に対応する長さになっている。
【００２５】
図６に示す点眼補助具４の第２の実施形態は、前記した第１の実施形態におけるアダプター７を省いた以外は、基本的に同じ構造のものであり、容器取り付け部材５に点眼部２の雄ねじ３を螺合するねじ孔１８が貫通状に設けられ、点眼補助具４を直接目薬容器１の点眼部２に装着するようになっている。図示ではミラー８を装着しているが、これを省くことは当然可能である。
【００２６】
なお、何れの実施形態においても、容器取り付け部材５と両開瞼部材６、６の形状とその取り付け構造は図示に限定されるものではなく、例えば、容器取り付け部材５に対して両開瞼部材６、６は共通のピンに枢支するようにしたり、容器取り付け部材５を横長や円盤状に形成し、これに両開瞼部材６、６の二股状とした上部を枢支するようにしてもよい。また、両開瞼部材６、６はばねにより常時とじる方向の弾性を付与するようにしてもよい。
【００２７】
この発明の点眼補助具は上記のような構成であり、次に第１の実施形態に基づいて使用の方法を説明する。
【００２８】
図１に示すように、点眼補助具４にアダプター７とミラー８を装着したのち目薬容器１のキヤップを外した点眼部２にアダプター７のねじ孔１８を螺合し、目薬容器１に対して点眼補助具４を装着する。この状態で点眼部２の開口先端は、半球状部１３の内部に臨み、目薬容器１とこれに取り付けた点眼補助具４の上下軸心が同軸心状の配置となる。このとき、両開瞼部材６、６は閉じた状態としておく。
【００２９】
上記目薬容器１を手で保持し、該目薬容器１が上で両開瞼部材６、６が下向きとし、この状態で顔を上に向け、点眼せんとする目の直上に点眼補助具４を望ませ、両開瞼部材６、６の当接部１５、１５が図４のように上眼瞼Ａ及び下眼瞼Ｂに対応するような姿勢とする。このとき他方の目でミラー８を介して瞼と当接部１５、１５の位置関係を確認できる。
【００３０】
上記した姿勢のままで目薬容器１と点眼補助具４を目に近づけると、両開瞼部材６、６の当接部１５、１５が図４のように上眼瞼Ａ及び下眼瞼Ｂに当接し、少し押しつけ力を加えると両開瞼部材６、６は外側に開き、上眼瞼Ａと下眼瞼Ｂを強制的に押し開き、眼球を露出させる。一般に、開いた目に物体が接近すると、目は閉じる傾向にあり、また、目が開いている場合でも閉じた状態にある両開瞼部材６、６の先端は瞼の開き量よりも少し大きい弧状に開口しているので、何れの条件でも上眼瞼Ａ及び下眼瞼Ｂに対して当接部１５、１５を当接させることができる。
【００３１】
当接部１５、１５は、十分な面積の当接面１６を有するので、両開瞼部材６、６を上眼瞼Ａ及び下眼瞼Ｂに押しつけたとき、瞳Ｃに大きな圧力を加えないという利点があり、また、当接部１５、１５の内周側に設けた押圧突条１７が図４で示したように、上眼瞼Ａ及び下眼瞼Ｂに対して睫毛寄りの位置を押圧するので該上眼瞼Ａ及び下眼瞼Ｂは捲れ上がり状となる。
【００３２】
従って、上眼瞼Ａ及び下眼瞼Ｂは確実に開いて眼球Ｃは大きく露出し、この状態で目薬容器１を加圧すれば、点眼部２から滴下する目薬を瞳Ｃへ正確に点薬することができ、しかも上眼瞼Ａ及び下眼瞼Ｂの捲れ上がりにより、眼球Ｃの全体に目薬を行き渡らせることができる。また、上眼瞼Ａと下眼瞼Ｂは、捲れ上がりにより内面側が露出し、この内面側に目薬を供給でき、トラホーム等の眼病の治療や目の洗浄が効率よく確実に行なえる。
【００３３】
上記の点薬後は、目薬容器１と点眼補助具４を目から離反させればよい。
【００３４】
【発明の効果】
以上のように、この発明によると、点眼時に瞼に押しつけるだけで、瞼を確実に開くことができ、点眼時に瞼を閉じる癖のある人でも眼球や瞼の内側に対して正確かつ確実に目薬や洗浄液を点薬することができる。
【００３５】
また、瞼を指先で開くことがないので、衛生的に点眼することができる。
【図面の簡単な説明】
【図１】点眼補助具の第一の実施形態を示す分解斜視図
【図２】目薬容器に点眼補助具を取り付けた縦断面図
【図３】図２の矢印III −III に沿う横断面図
【図４】点眼時の状態を示す縦断面図
【図５】図４の矢印Ｖ−Ｖに沿う横断面図
【図６】点眼補助具の第二の実施形態を示す要部縦断面図
【符号の説明】
１  目薬容器
２  点眼部
３  雄ねじ
４  点眼補助具
５  容器取り付け部材
６  開瞼部材
７  アダプター
８  ミラー
１３  半球状部
１４  ピン
１５  当接部
１６  当接面部
１７  押圧突状
１８  ねじ孔
【図１】
0003897848.tif 000002
【図２】
0003897848.tif 000003
【図３】
0003897848.tif 000004
【図４】
0003897848.tif 000005
【図５】
0003897848.tif 000006
【図６】
0003897848.tif 000007